(57)【要約】【課題】電気化学セルスタックの少なくとも１つの電気化学セルの性能を調整するためのシステムを提供する。【解決手段】電気化学セルスタックの少なくとも１つの電気化学セルに電流の調節を提供するように配置された複数の双方向コンバーターを含む上記システム。【選択図】図７
2019052377.tif 000002
【特許請求の範囲】
【請求項１】
電気化学セルスタック中の少なくとも１つの電気化学セルの性能を調整するためのシステムであって、
２つまたはそれより多くの電気化学セルを包含する電気化学セルスタックであり、ここで各電気化学セルは、
水素を生成するための活性領域；および
該活性領域に隣接する少なくとも１つのバイポーラプレート
を包含する、電気化学セルスタック；ならびに
前記電気化学セルスタックの少なくとも１つの電気化学セルに電流の調節を提供するように配置された、複数の双方向コンバーター
を含む、上記システム。
【請求項２】
各双方向コンバーターが、バックブーストコンバーター回路を包含する、請求項１に記載のシステム。
【請求項３】
一方の双方向コンバーターが、ブーストモードで作動して、十分機能しなくなった電気化学セルからの電流の流れの所定部分を方向転換させるように設計されており、他方の双方向コンバーターが、バックモードで作動して、同じ量の電流を隣接する電気化学セルに出力するように設計されている、請求項１に記載のシステム。
【請求項４】
各双方向コンバーターが、ＤＣ−ＤＣコンバーターである、請求項１に記載のシステム。
【発明の詳細な説明】
【技術分野】
【０００１】
[001]本出願は、参照により本明細書に組み入れられる２０１３年７月１９日付けで出願された米国仮出願第６１／８５６，４９４号の利益を主張する。
【０００２】
[002]本発明の開示の実施態様は、電気化学セルに関し、より具体的には、電気化学セルスタック中の少なくとも１つの電気化学セルを調整するためのシステムおよび方法に関する。
【背景技術】
【０００３】
[003]電気化学セルは、通常、燃料電池または電解セルとして分類されるが、化学反応により電流を発生させたり、または電流の流れを使用して化学反応を誘導したりするためのデバイスである。燃料電池は、燃料（例えば、水素、天然ガス、メタノール、ガソリンなど）および酸化剤（例えば、空気または酸素）の化学エネルギーを電気ならびに熱および水の廃棄物に変換する。電解セルは、逆に作動する燃料電池の代表である。電解セルは、外部の電位が適用されると水を水素と酸素ガスに分解することによって水素発生器として機能する。
【０００４】
[004]燃料電池または電解セルの基礎的な技術は、例えば電気化学的な水素の圧縮、精製、または膨張などの電気化学的な水素の操作に適用できる。電気化学的水素圧縮機（ＥＨＣ）は、例えば、セルの一方の側から他方の側に水素を選択的に移動するのに使用することができる。ＥＨＣは、第一の電極（例えば、アノード（anode））と第二の電極（例えば、カソード（cathode））との間に挟まれたプロトン交換膜を含み得る。水素を含有するガスは、第一の電極と接触することができ、第一の電極と第二の電極との間に電位差を適用することができる。第一の電極では、水素分子を酸化することができ、その反応は、２つの電子と２つのプロトンを生産することができる。２つのプロトンは、電気化学的に膜を介してセルの第二の電極に進み、そこでそれらは、２つのルート変更した電子により再結合し、還元されて、水素分子を形成する。第一の電極と第二の電極で起こる反応は、以下に示すような化学方程式として表すことができる。
第一の電極の酸化反応：Ｈ２→２Ｈ＋＋２ｅ−
第二の電極の還元反応：２Ｈ＋＋２ｅ−→Ｈ２
全体の電気化学反応：Ｈ２→Ｈ２。
【０００５】
[005]この方式で作動するＥＨＣは、時には水素ポンプとも称される。第二の電極に蓄積した水素が限定されたスペースに制限される場合、スペース内の圧力が上昇し、水素を圧縮する。個々のセルが起こすことができる最大の圧力または流速は、セルの設計に基づき限定される可能性がある。
【０００６】
[006]より大きい圧縮またはより高い圧力を達成するために、ＥＨＣスタック中で複数のセルを平行にまたは連続して連結させて、ＥＨＣの処理能力（すなわち、総ガス流速）を増加させることができる。作動中、ＥＨＣスタックに電流が送達されると、各セル中で膜の一方の側から他方の側への水素の移動が起こる。１つより多くのセルを有するスタックにおいて、電流は全てのセルを通過するが、一方でスタックに適用された電圧は、スタック中のセルに分割される。電圧がセル間で等しく分割されることが理想的であるが、実際には、電圧はセル間で変動する。セルの電圧は、バイポーラプレートの腐食、触媒の劣化、または膜の劣化によって変動する可能性がある。
【０００７】
[007]より高電圧を有する電気化学セルは、同じ量の水素を圧縮するのにより多くの電力を消費する。結果として、これらのセルは、より低い電圧で作動する他のセルより多くの熱を生産し、より高温で作動する可能性がある。高温は、高電圧のセルを経時的に劣化させる可能性があり、それに続いて高電圧のセルの電圧をさらに増加させる可能性がある。このフィードバックサイクルが継続して、セルの初期不良を引き起こす可能性がある。さらに、これらの劣化したセルは、全体的なＥＨＣスタックの効率を低下させて、他のセルにも悪影響を与える可能性がある。これは、ＥＨＣスタックを解体して、高電圧のセルを除去することによって対処できるが、劣化したセルはスタック中で電気的に連結され物理的に組み立てられているために、このような方法は多大な費用を要し、問題を含む。
【発明の概要】
【０００８】
[008]上述の環境を考慮すると、本発明の開示は、電気化学セルスタック中の少なくとも１つのセルの性能を調整するためのシステムおよび方法を対象とする。本システムは、作動中における電気化学セルスタック中のセルの電圧の変動を低減することができる。加えて、本システムは、電気化学セルスタックを作動させ続けながら、１つまたはそれより多くの十分機能しなくなったセルの作動を「調整」することができる。
【０００９】
[009]本発明の少なくとも１つの形態は、電気化学セルスタック中の少なくとも１つの電気化学セルの性能を調整するための方法を対象とする。本方法は、複数の電気化学セルを有する電気化学セルスタックに電力を供給するステップを包含していてもよい。本方法は、少なくとも１つの電気化学セルのパラメーターをモニタリングするステップ、および電気化学セルが十分機能しなくなるかどうかを決定するステップをさらに包含していてもよい。本方法はまた、電気化学セルスタックの作動中に、十分機能しなくなった電気化学セルからの電流の流れの所定部分を方向転換させるステップを包含していてもよい。
【００１０】
[010]本発明の別の形態は、電気化学セルを対象とする。セルは、水素を生成するように設計された活性領域および活性領域の境界の外側のシャント領域を包含していてもよい。シャント領域は、シャントを受け入れるように設計することができる。
【００１１】
[011]本発明のさらに別の形態は、電気化学セルの性能を調整するためのシステムを対象とする。本システムは、２つまたはそれより多くの電気化学セルを包含する電気化学セルスタックを包含していてもよい。各電気化学セルは、水素を生成するための活性領域、および活性領域に隣接する少なくとも１つのバイポーラプレートを包含していてもよい。本システムは、十分機能しなくなった電気化学セルの活性領域を架橋する少なくとも１対のバイポーラプレートの間に取り付けられるように設計されたシャントをさらに包含していてもよい。
【００１２】
[012]本発明のさらに別の形態は、電気化学セルスタックの性能を調整するためのシステムを対象とする。本システムは、２つまたはそれより多くの電気化学セルを包含する電気化学セルスタックを包含していてもよい。各電気化学セルは、水素を生成するための活性領域；および活性領域に隣接する少なくとも１つのバイポーラプレートを包含していてもよい。本システムはまた、双方向コンバーターを包含していてもよい。双方向コンバーターは、電気化学セルスタックの少なくとも１つの電気化学セルに電流の調節を提供するように配置されていてもよい。
【００１３】
[013]本発明の追加の目的および利点は、下記の説明で部分的に記載され、その記載から部分的に明白であり、または本発明の実施から学ぶこともできる。本発明の目的および利点は、特に添付の特許請求の範囲で指摘された要素および組合せによって理解され、達成されると予想される。
【００１４】
[014]前述の一般的な説明と以下の詳細な説明はいずれも単に典型的で説明的なものにすぎず、特許請求されたような発明を限定しないと理解されるものとする。
【００１５】
[015]添付の図面は、本明細書に取り入れられ本明細書の一部を構成するが、これらは、いくつかの本発明の実施態様を例示し、その記載と共に本発明の原理を説明するのに役立つ。
【図面の簡単な説明】
【００１６】
【図１】[016]図１は、例示的な実施態様に係る電気化学セルスタックおよびシャント抵抗器を包含するシステムの概略図である。
【図２】[017]図２は、例示的な実施態様に係る電気化学セルスタックの概略斜視図である。
【図３】[018]図３は、例示的な実施態様に係る、シャント抵抗器を受け入れるように設計されたシャント領域を有する電気化学セルの一部の上面図である。
【図４】[019]図４は、例示的な実施態様に係る、２つのバイポーラプレート間に位置するシャント抵抗器を有する電気化学セルスタックの側面図である。
【図５】[020]図５は、さらに別の例示的な実施態様に係る、２つのバイポーラプレート間に位置する可変シャントを有する電気化学セルスタックの一部の側面図である。
【図６】[021]図６は、別の例示的な実施態様に係る、電気化学的スタック中のセルの性能を調整する方法を例示する流れ図である。
【図７】[022]図７は、例示的な実施態様に係る双方向コンバーターを包含するシステムの概略図である。
【図８】[023]図８は、例示的な実施態様に係る双方向コンバーターの略図である。
【発明を実施するための形態】
【００１７】
[024]以下、本発明の開示の例示的な実施態様について詳細に述べ、その例は添付の図面で例示される。可能な限り、同じまたは類似の部品を指すために図面全体にわたり同じ参照番号が使用される。水素を採用する電気化学セルに関して説明されているが、本発明の開示のシステムおよび方法は、これらに限定されないが、電解セル、水素精製機、水素エキスパンダー（hydrogen expander）、および水素圧縮機などの様々な種類の燃料電池および電気化学セルで採用される可能性があることが理解される。
【００１８】
[025]図１は、例示的なシステム２０の側面図を示す。システム２０は、複数の電気化学セルから形成された電気化学セルスタック５０を包含する。各電気化学セル１００は、活性領域８０を包含し、この領域が水素ガスに晒される。領域８０は、アノード１１０、カソード１２０、およびアノード１１０とカソード１２０との間に配置されたプロトン交換膜（ＰＥＭ）１３０を包含する。ＰＥＭ１３０は、純粋な高分子膜または複合膜を含んでいてもよく、ここで他の材料、例えばシリカ、ヘテロポリ酸、層状の金属リン酸塩、リン酸塩、およびリン酸ジルコニウムが、高分子マトリックス中に埋め込まれていてもよい。ＰＥＭ１３０は、プロトンを透過させることができるが電子を伝達させないものでもよい。アノード１１０およびカソード１２０は、触媒層を含有する多孔質炭素電極を含んでいてもよい（示されていない）。触媒材料、例えば白金は、反応速度を増加させることができる。
【００１９】
[026]電気化学セル１００は、２つのバイポーラプレート１５０をさらに含んでいてもよい。２つのバイポーラプレート１５０は、支持プレート、導体として作用することができ、それぞれの電極表面に水素ガスのための通路を提供することができ、圧縮水素除去のための通路を提供することができる。またバイポーラプレート１５０は、冷却流体（すなわち、水、グリコール、または水とグリコールとの混合物）のためのアクセスチャネルを包含していてもよい。バイポーラプレート１５０は、アルミニウム、鋼、ステンレス鋼、チタン、銅、Ｎｉ−Ｃｒ合金、グラファイトまたは他のあらゆる導電性材料から作製することができる。
【００２０】
[027]複数の電気化学セル１００を連続してまたは並行して連結させて、電気化学セルスタック５０を形成することができる。例示的な実施態様において、複数の電気化学セル１００を並行してスタックして、一段階電気化学セルスタック５０を形成する。電気化学セルスタック５０は、あらゆる好適な数の電気化学セル１００で構成することができる。例えば、図１に示される実施態様において、電気化学セルスタック５０は、３つの電気化学セル１００を包含する。しかしながら、電気化学セルスタック５０は、それより多いまたはそれより少ない数の電気化学セルを包含していてもよいことが理解される。
【００２１】
[028]バイポーラプレート１５０は、電気化学セルスタック５０中の隣接するセルから各電気化学セル１００を隔てることができる。いくつかの実施態様において、スタック５０中の各電気化学セル１００は、膜−電極−接合体（ＭＥＡ）の両側に１つずつ、計２つのバイポーラプレート１５０を含み、すなわち、スタック５０がｎ個のセルを含む場合、スタック５０中のバイポーラプレート１５０の総数は、２ｎ個である。いくつかの他の実施態様において、スタック５０中の２つの隣接する電気化学セル１００は、バイポーラプレート１５０を共有しており、すなわち、スタック５０がｎ個のセルを含む場合、スタック５０中のバイポーラプレート１５０の総数は、（ｎ＋１）個である。
【００２２】
[029]作動中、例示的な実施態様によれば、水素ガスを活性領域８０に供給することができる。アノード１１０とカソード１２０との間に電位を適用できるように、電気化学セルスタック５０に電圧を適用してもよく、ここでアノード１１０における電位は、カソード１２０における電位より大きい。さらに、電流が電気化学セルスタック５０に送達されて、各セル中の水素がＰＥＭ１３０を介して電気化学的に輸送されるかまたは「ポンプ」で送られ、一方で電子を、ルート変更してＰＥＭ１３０を迂回してもよい。ＰＥＭ１３０の逆側におけるカソード１２０において、輸送されたプロトンとルート変更された電子とが還元されて、水素が形成される。カソード１２０で水素がますます形成されるにつれて、限定されたスペース内で水素を圧縮して加圧することができる。
【００２３】
[030]上述したように、複数の電気化学セルを有する電気化学セルスタックにおいて、スタックに供給された電流は、全てのセルを通過するが、一方でスタックに適用された電圧は、スタック中のセルに分割される。電圧がセル間で等しく分割されることが理想的であるが、実際には、電圧はセル間で変動する。例えば、セルの電圧は、スタック中で０．０１〜１．０Ｖ／セルで変動し得る。結果として、セルを通る電流の通路によって引き起こされる熱の発生（例えば、オーム加熱）もセル間で変動し得る。開示されたシステムは、高電圧で作動する個々のセルをシャントすることによって、セルの電圧およびオーム加熱における変動を低減することができる。例示的な実施態様において、シャントは、予め決められた（固定された）、使用者が選択可能な、またはプログラム可能な抵抗値のシャント抵抗器２００の使用を包含し得る。
【００２４】
[031]図２は、例示的な電気化学セルスタック５０の概略図である。図２で示されるように、各電気化学セル１００は、少なくとも１つのシャント領域２２０を包含していてもよい。シャント領域２２０は、電気化学セル１００の、電気化学セルスタック５０の外側から接近可能なあらゆる部分に配置されていてもよい。例えば、シャント領域２２０は、活性領域８０の境界の外側の、電気化学セル１００の角または縁部上に配置されていてもよい。いくつかの実施態様において、各電気化学セル１００は、複数のシャント領域２２０を包含していてもよい。これらの実施態様において、シャント領域２２０は、電気化学セル１００の一部または全部の角に位置されていてもよい。同様に、シャント領域２２０は、電気化学セル１００の一部または全部の縁部に位置され得ることも予期される。
【００２５】
[032]図３を参照すると、シャント領域２２０は、シャント抵抗器２００を受け入れられるようなサイズであってもよい。シャント抵抗器２００は、個々の電気化学セルの活性領域８０に供給された電流の所定部分を隣接するセルに方向転換させるように設計されたあらゆる公知の低抵抗デバイスであってもよい。シャント抵抗器２００は、生産中、各セルのシャント領域２２０に配置されていてもよいし、または電気化学セルスタック５０の作動中、シャント領域２２０に挿入されてもよい。挿入は、手動で行ってもよいし、または自動化手段を介して行ってもよい。
【００２６】
[033]図３で示されるように、シャント抵抗器２００は、シャント領域２２０に挿入されてもよいし、またはシャント領域２２０から外側の電気化学的スタック５０に向かって除去されてもよい。シャント抵抗器２００は、シャント領域２２０に完全に挿入されてもよいし、または部分的に挿入されてもよいことが予期される。例えば、シャント抵抗器２００をシャント領域２２０に部分的に挿入して、電気化学セル１００と接触するシャントの面積２００ａを変更することができる。
【００２７】
[034]図４は、電気化学セルスタック５０の側面図である。図４で示されるように、シャント抵抗器２００は、シャント領域２２０に配置されている場合、個々の電気化学セルのバイポーラプレート１５０間で伸長することができる。スタック中の各電気化学セル１００が２つのバイポーラプレートを含む実施態様において、シャント抵抗器２００は、２つのバイポーラプレート間に配置させることができる。２つの隣接する電気化学セル１００がバイポーラプレートを共有する実施態様（例えば、図４）において、シャント抵抗器２００は、個々の電気化学セルを架橋するバイポーラプレート１５０間に配置させることができる。
【００２８】
[035]シャント抵抗器２００は、例えば、銅、アルミニウム、ステンレス鋼、真鍮、ニッケルなどのあらゆる導電性材料で構成されていてもよい。シャント抵抗器２００は、接触抵抗を最小化したりまたは望ましい抵抗値を達成したりするために、金、銀、スズ、半導体材料またはあらゆる他の公知のコーティングでコーティングされていてもよい。シャント抵抗器２００のサイズ、形状、および／または断面は、変更することができる。例えば、シャント抵抗器２００のサイズおよび形状は、バイポーラプレート１５０間で伸長して隣接するセルへの電流の流れを方向付けるのに十分なものであってもよい。またシャント抵抗器の設計は、隣接するプレート間で十分な接触が維持されるのを確実にするために、ばね機構を包含するように変更することもでき、プレート間隔の変動は、スタック／セルの製作公差および熱膨張によって生じる。
【００２９】
[036]ある特定の実施態様において、各電気化学セル１００は、電気化学セル１００の各角に配置された、１つまたはそれより多くのアライメントデバイスを包含する。アライメントデバイスは、２つの隣接する電気化学セルを連結するように設計されたあらゆる公知の機械的なデバイスであり得る。例えば、アライメントデバイスは、隣接するバイポーラプレート１５０の凹部またはロック（示されていない）に受け入れられるように設計された少なくとも１つの固定具（例えば、ロッド、キーなど）を含み得る。凹部またはロックは、少なくとも１つの固定具を補完するような形状およびサイズであり得ることが予期される。
【００３０】
[037]ある特定の実施態様において、固定具の代わりに、シャント抵抗器２００が、電気化学セルを架橋するバイポーラプレート１５０の凹部またはロックに挿入されてもよい。ある特定の他の実施態様において、シャント抵抗器２００は、バイポーラプレート１５０間の固定具上にロックまたはグリップするための１つまたはそれより多くのロッキング機構を包含していてもよい。代替の実施態様において、シャント抵抗器２００をセルのバイポーラプレート間に配置し、従来の固定具、例えばボルト、スクリューなどを使用して、電気化学セルスタック５０またはスタックを含有するフレーム（標識されていない）に機械的に固定してもよい。
【００３１】
[038]使用時に、シャント抵抗器２００は、十分機能しなくなった電気化学セルにわたる電圧を調節するのに使用することができる。十分機能しなくなった電気化学セルは、予め決められた電圧値より高い電圧を有するセルと定義できる。予め決められた電圧値は、例えば、操作員によって選択された値、電気化学セルスタック５０のセル１つ当たりの平均電圧、または電気化学セルスタック５０中の電気化学セル１００の最小電圧であり得る。加えて、および／またはその代わりに、十分機能しなくなった電気化学セルは、オーム加熱、例えばセルを通る電流の通路によりセルから放出される熱量が、予め決められたオーム値より高いセルとも定義できる。予め決められたオーム値は、例えば、操作員によって選択された値、電気化学セルスタック５０のセル１つ当たりの放出された平均熱量、またはスタック５０中の電気化学セル１００における最小の熱の発生であり得る。また十分機能しなくなったセルは、健全なセルの閾値より大きい、十分機能しなくなったセルに関連する温度、電流、抵抗、または他のパラメーターを有する可能性がある。
【００３２】
[039]シャント抵抗器２００は、十分機能しなくなった電気化学セルを部分的にバイパスして、そのセルの電圧を予め決められた電圧値に落とすために、特定の非ゼロ抵抗値を有していてもよい。いくつかの実施態様において、シャント抵抗器２００の抵抗値は、十分機能しなくなった電気化学セルの望ましい抵抗および実際の抵抗に基づき計算することができる。シャントの抵抗値を決定するための一般式は、以下の通りである：
【００３３】
【数１】
2019052377.tif 000003
【００３４】
セルの望ましい抵抗（Ｒｔ）は、電圧が釣り合っているときのセルの抵抗であり得る。実際の抵抗（Ｒａ）は、シャントする前の十分機能しなくなった電気化学セルの電圧に基づき計算することができる。
【００３５】
[040]他の実施態様において、十分機能しなくなった電気化学セルから放出された熱量を健全なセルと同じになるように修正できるように、シャント抵抗器２００の抵抗を計算することができる。十分機能しなくなったセルと健全なセルとの間のオーム性の熱の発生を釣り合わせるための、シャントの抵抗値を決定するための式は、以下の通りである：
【００３６】
【数２】
2019052377.tif 000004
【００３７】
上述したように、Ｒｔは、セルの望ましい抵抗に相当し、これは、電圧が釣り合っているときのセルの抵抗であり得る。同様に、Ｒａは、セルの実際の抵抗に相当しており、これは、シャントする前の十分機能しなくなった電気化学セルの電圧に基づき計算することができる。式（２）を使用する場合、計算された抵抗値は、上記で論じられた式（１）から得られた計算された抵抗値よりも高い可能性がある。これは、性能が劣ったセルの寿命を長くするのに有効であり、それと同時に、別に上記で論じられた式（１）を使用して低下すると予想される、スタック５０の望ましい処理量を達成することができる。
【００３８】
[041]ある特定の実施態様において、シャント抵抗器２００は、固定抵抗値を有する固定式の抵抗器であってもよい。これらの実施態様のいくつかにおいて、シャント抵抗器２００は、シャント領域２２０に部分的に挿入されてもよい。セルと接触するシャント抵抗器２００の面積２００ａを調節して、計算された抵抗を提供することができる。いくつかの他の実施態様において、使用者は、所定範囲の抵抗値を有する複数の固定シャント抵抗器２００からシャント抵抗器２００を選択することができる。選択されたシャント抵抗器２００は、計算された抵抗に一致する抵抗を有していてもよく、完全にシャント領域２２０に挿入されてもよい。
【００３９】
[042]図５の例示的な実施態様のようなある特定の他の実施態様において、シャント抵抗器は、可変シャント抵抗器２１０を含み得る。可変シャント抵抗器２１０は、抵抗値を変化させることができる適切な電子機器および集積回路を包含していてもよい。可変シャント抵抗器２１０は、例えば、導電性材料で形成される２つの接点の間に電子機器および集積回路を包含するように構築することができる。電子機器および回路は、使用者の入力を受け取るように設計されていてもよいし、または十分機能しなくなった電気化学セルの温度の関数として変動する抵抗、供給された電流、十分機能しなくなったセルにわたる電圧もしくは予め決められた電圧値を有するようにプログラム化されていてもよい。この実施態様において、シャント抵抗器２１０は、生産中、シャント領域２２０に配置されていてもよいし、または電気化学セルスタック５０の作動中、シャント領域２２０に挿入されていてもよい。例示的な可変シャント抵抗器としては、バイポーラ接合トランジスタ（ＢＪＴ）または接合ゲート電界効果トランジスタ（ＪＦＥＴ）が挙げられる。
【００４０】
[043]十分機能しなくなった電気化学セルをシャントするのに必要な抵抗値は、変動し得る。いくつかの実施態様において、電気化学セルスタック５０中の電気化学セル１００の抵抗率は、５〜１０００ｍΩ−ｃｍ２の範囲であってもよいことが予期される。したがって５〜１０００ｃｍ２の範囲の活性領域を有するセルは、０．００５〜２００ｍΩの範囲の全体の抵抗を有する可能性がある。電流密度が約０．０５〜約１０Ａ／ｃｍ２の範囲であり得るため、シャント抵抗は、約０．００５〜１０００ｍΩで変動し得る。
【００４１】
[044]さらに他の実施態様において、シャント抵抗器２００は、ゼロ抵抗を有し、純粋な導体として作用する可能性もある。このような実施態様において、シャント抵抗器２００を使用して、セルに供給された全ての電流の流れをシャント抵抗器２００を介して方向転換させることができる。これは、十分機能しなくなったセルを短絡させて、電気化学セルスタック５０中の他のセルから十分機能しなくなったセルを十分に隔離するのに有効であり得る。
【００４２】
[045]図６は、電気化学セルスタック中の少なくとも１つの電気化学セルの性能を調整するための方法に関するフローチャート３００を示す。本方法は、電気化学セルスタック５０を提供することを包含し、ここで電気化学セルスタック５０は、上述したような複数の電気化学セル１００を有していてもよい（工程３１０）。次に本方法は、電気化学セルスタック５０に水素ガスを供給することを包含していてもよい。スタック５０に電力を適用してもよく（工程３２０）、さらに作動を開始してもよい（工程３３０）。
【００４３】
[046]作動中、少なくとも１つの電気化学セル１００のパラメーターをモニタリングしてもよい（工程３４０）。パラメーターは、例えば、少なくとも１つのセルにわたる電圧、少なくとも１つのセルの抵抗、少なくとも１つのセルの温度、電流密度などであり得る。パラメーターのモニタリングは、様々な手段、例えば電圧計、オーム計、温度センサーなどによって達成できる。
【００４４】
[047]加えて、および／またはその代わりに、プロセッサーは、スタック５０の各電気化学セルのパラメーターをモニタリングするように設計することができる。プロセッサーは、メモリーなどのあらゆる公知のプロセッサーであってもよい。メモリーは、様々なタイプの内部または外部記憶媒体、例えば、これらに限定されないが、例えばコンピューターの内部記憶領域の様式でデータ記憶のための記憶レジスタを提供する、ＲＡＭ、ＲＯＭ、ＥＰＲＯＭ、ＥＥＰＲＯＭ、および同種のもののいずれか１つまたはそれより多くであってもよく、さらに、揮発性メモリーまたは不揮発性メモリーであってもよい。メモリーは、そこにプロセッサーで実行可能な多数のルーチンを保存させることができる。プロセッサー装置は、各電気化学セルと連結したセンサーから入力信号を受け取り、出力装置に送られる出力信号を処理する。
【００４５】
[048]一例において、電圧計を各セルと連結させて、スタック５０の作動中に各セルの電圧を読み取るように設計することができる。個々のセルの電圧が臨界の電圧設定値より高い場合（工程３５０）、セルをシャントするように操作員に警告することができる。臨界の電圧設定値は、例えば、予め決められた電圧値に相当していてもよい。個々のセルの電圧が予め決められた電圧値より高い場合、十分機能しなくなった電気化学セルをシャントすることによって十分機能しなくなったセルの電圧を低下させるように、操作員に警告することができる（工程３６０）。上述したように、シャント抵抗器２００の抵抗値は、望ましい抵抗およびシャントしようとするセルの実際の抵抗に基づき計算することができる。
【００４６】
[049]別の実施態様において、温度センサーを各セルと連結させて、スタック５０の作動中に各セルの温度を感知するように設計することができる。個々のセルの温度が臨界温度の設定値より高い場合、セルをシャントするように操作員に警告することができる。この実施態様において、シャント抵抗器２００の抵抗値は、十分機能しなくなったセルが健全なセルと同じ熱量を放出するように、式（２）に基づき計算することができる。
【００４７】
[050]抵抗値が計算されたら、操作員は、シャントしようとするセルのシャント領域２２０に配置させるシャント抵抗器２００を選択することができる。上述したように、シャント抵抗器２００は、固定抵抗値を有する固定式の抵抗器であってもよいし、または計算された抵抗値を有するようにプログラム化された可変シャント抵抗器２１０であってもよい。次いで選択されたシャント抵抗器２００を、電気化学セルスタック５０の作動中、電気化学セルスタック５０の外側からシャント領域２２０に配置させてもよい。その代わりに、生産中、シャント抵抗器２００がシャント領域に配置される場合、操作員は、シャント抵抗器を作動状態にすることができる。
【００４８】
[051]十分機能しなくなったセルと接触したら、シャント抵抗器２００は、セルに供給された電流の所定部分を、そのセルを迂回して隣接するセルに方向転換させることができる。シャント抵抗器２００を介して方向転換されない電流は、そのセルによって使用されて、ＰＥＭ１３０を越えて水素をポンプで送ることができる。この方式により、セルの電流密度および電圧、加えて熱の発生を低減して、セルの性能を修復することができる。このプロセスは、電気化学セルスタック５０の作動中ずっと継続することができる（工程３７０および３８０）。いくつかの場合において、電気化学セルを隣接する電気化学セル１００から隔離することが必要な場合がある。例えば、典型的には長期にわたる継続的な高電圧によって引き起こされるバイポーラプレートの腐食、触媒の劣化、膜の劣化などによりセル抵抗が高くなる場合、電気化学セルを隔離することが必要な場合がある。そのような場合において、臨界の電圧設定値は、例えば、予め決められた電圧値より高い欠陥のある電圧値に相当していてもよい。欠陥のある電圧値とは、セルの全体的な劣化を引き起こす可能性がある電圧のことである。個々のセルの電圧が欠陥のある電圧値より高い場合、欠陥のあるセルを隔離するように操作員に警告することができる。
【００４９】
[052]いくつかの実施態様において、電流の所定部分を方向転換させることの結果として、修復されたセルは、より少ない水素をポンプで送る可能性がある。これは次に、電気化学セルスタック５０の処理量を低下させる可能性がある。これらの実施態様において、電気化学セルスタック５０の全体の処理量を維持するために、電気化学セルスタック５０に供給された全体の電流を増加させることができる。例えば、ｎ個のセルを含む電気化学セルスタックにおいて、１つのシャントされたセルを補うための全電流の増加分は、シャント抵抗器２００を介して方向転換された電流の量の１／ｎ倍であり得る。
【００５０】
[053]シャント抵抗器２００を介して電流を方向転換させることは、シャント抵抗器２００により著しいオーム性の熱の発生を引き起こす可能性がある。これは次に、システム２０の効率を低下させ、システム２０の冷却コンポーネントへの負荷を増加させる可能性がある。このような問題を克服するために、シャント抵抗器２００の代わりに双方向コンバーターを使用することができる。双方向コンバーターは、電気化学セルスタック５０中の性能が劣ったセルを迂回させて電流の流れを方向転換させることにより、性能が劣ったセルを通る電流の流れを調節するように設計することができる。比較によれば、双方向コンバーターを利用するシステムは、１つまたはそれより多くのシャント抵抗器２００を利用するシステムより効率的である可能性がある。
【００５１】
[054]図７は、双方向コンバーターを包含する例示的なシステム２０の概略図である。図７で示されるように、システム２０は、外部の電源および少なくとも１つの双方向コンバーター４００を包含する。少なくとも１つの双方向コンバーター４００は、セルに供給された電流の所定部分を隣接するセルに方向転換させるように設計されたあらゆる公知の回路またはデバイスであってもよい。例示的な実施態様において、少なくとも１つの双方向コンバーターは、ＤＣ−ＤＣコンバーターである。
【００５２】
[055]例示的な実施態様において、少なくとも１つの双方向コンバーター４００は、個々の電気化学セル１００で電流の調節が行われるように配置された２つの双方向コンバーターを包含していてもよい。各双方向コンバーター４００は、スタック５０中の２つの隣接する電気化学セル１００の間に配置されていてもよく、ここでスタック５０がｎ個のセルを含む場合、スタック５０中の双方向コンバーターの総数は、（ｎ−１）個である。例えば、図７において、システム２０は、３つの電気化学セル１００を有するスタック５０を包含し、２つの双方向コンバーター４００をさらに包含する。
【００５３】
[056]ある特定の実施態様において、双方向コンバーター４００をスタック５０中に提供して、複数のセルに対して一度に電流の調節を行うように配置してもよいことが予期される。
【００５４】
[057]図８に、例示的な双方向コンバーター４００を示す。図８で示されるように、双方向コンバーター４００は、バックブーストコンバーター回路を包含していてもよい。双方向コンバーター４００は、Ｔ１がオープンでありＴ２がスイッチする場合、ブーストモードで作動して、十分機能しなくなった電気化学セルを通って流れることから電流の一部を方向転換させるように設計することができる。双方向コンバーター４００は、Ｔ２がオープンでありＴ１がスイッチする場合、バックモードで作動して、隣接する「健全な」セルに電流を出力するように設計することができる。
【００５５】
[058]図７および８を参照すると、電源は、電気化学的スタック５０に電流を供給でき、双方向コンバーター４００は、電流の流れを調節するように設計することができる。スタック５０が健全な場合、電流は、電源から発生して、双方向コンバーター４００を通らずにスタック５０の電気化学セル１００を通過してもよい。電気化学セル１００の１つまたはそれより多くが十分機能しないと決定される場合、双方向コンバーター４００を作動させることができる。ある特定の実施態様において、１つの双方向コンバーター４００は、ブーストモードで作動して、十分機能しなくなった電気化学セルからの電流の一部を方向転換させてもよく、そして、別の双方向コンバーター４００は、バックモードで作動して、同じ量の電流を隣接する電気化学セルに出力させてもよい。各双方向コンバーター４００による電流出力の量は、以下の方程式に基づき計算することができる：
（３）ＩＢｉ＝Ｉｉ＋１−Ｉｉ（ここでｉ＝１、…ｎ−１）
式中、ＩＢｉは、双方向コンバーターからの電流出力に相当し、Ｉ１、Ｉ２、…Ｉｎは、望ましいセル電流に相当する。
【００５６】
[059]上述したように、１つまたはそれより多くの双方向コンバーター４００を利用する開示されたシステムは、１つまたはそれより多くのシャント抵抗器を利用するシステムより効率的である可能性がある。双方向コンバーター４００が作動中の場合、動力源からの電流出力は、以下の方程式に基づき計算することができる：
【００５７】
【数３】
2019052377.tif 000005
【００５８】
式中、ＩＰＳは、電源からの電流出力に相当し、Ｒｊは、セルｊの抵抗に相当し、ηは、ブーストモードで作動している場合はコンバーターの効率に相当し、バックモードで作動している場合はコンバーターの効率の逆数に相当する。コンバーターが約９５％の効率を有すると仮定すると、双方向コンバーター４００を使用したシステムの電力損失は、オーム加熱による電力損失を経たシャント抵抗器を使用したシステムより低い可能性がある。
【００５９】
［060］本発明の他の実施態様は、本明細書の考察と本明細書で開示された発明の実施から当業者には明らかであると予想される。本明細書および例は単なる例示とみなされ、本発明の真の範囲および本質は特許請求の範囲で示されるものとする。以下に、本願の原出願の出願時の特許請求の範囲の記載を転記する。
（１）電気化学セルスタック中の少なくとも１つの電気化学セルの性能を調整するための方法であって、
電気化学セルスタックに電力を供給するステップであり、ここで該電気化学セルスタックは、複数の電気化学セルを包含する、ステップ；
該複数の電気化学セルの少なくとも１つのパラメーターをモニタリングするステップ；
電気化学セルが十分機能しなくなるかどうかを決定するステップ、および
該電気化学セルスタックの作動中に、十分機能しなくなった電気化学セルからの電流の流れの所定部分を方向転換させるステップ
を含む、上記方法。
（２）十分機能しなくなった電気化学セルからの電流の流れの所定部分を方向転換させるステップが、シャントするステップを包含する、（１）に記載の方法。
（３）シャントするステップが、前記十分機能しなくなった電気化学セルにわたる電圧を低下させるステップを包含する、（２）に記載の方法。
（４）前記パラメーターが、電圧、電流、および温度の少なくとも１つである、（１）に記載の方法。
（５）電気化学セルが十分機能しなくなるかどうかを決定するステップが、前記電気化学セルにわたる電圧が、臨界の電圧設定値より高いかどうかを決定するステップを包含する、（１）に記載の方法。
（６）前記十分機能しなくなった電気化学セルにわたる前記電圧を予め決められた電圧値に落とすのに十分な抵抗値を計算するステップ；および
計算された抵抗値に基づき前記十分機能しなくなった電気化学セルをシャントするためのシャント抵抗器を選択するステップ
をさらに包含する、（５）に記載の方法。
（７）前記予め決められた電圧値が、前記電気化学セルスタックの電気化学セル１つ当たりの平均電圧、および前記電気化学セルスタックの電気化学セルの最小電圧の少なくとも１つに相当する、（６）に記載の方法。
（８）選択されたシャント抵抗器が、前記計算された抵抗値±５０％に等しい固定抵抗を有する、（６）に記載の方法。
（９）選択されたシャント抵抗器が、可変抵抗を有し、計算された抵抗値±５０％に等しい抵抗を有するように前記シャント抵抗器をプログラミングするステップをさらに包含する、（６）に記載の方法。
（１０）前記電気化学セルスタックの作動中に前記十分機能しなくなった電気化学セルのシャント領域中に、シャント抵抗器を取り付けるステップをさらに包含し、ここで該シャント抵抗器を取り付けるステップは、該シャント領域に該シャント抵抗器を少なくとも部分的に挿入して、該シャント抵抗器の前記十分機能しなくなった電気化学セルと接触する面積を調節するステップを包含する、（２）に記載の方法。
（１１）前記十分機能しなくなった電気化学セルをシャントするステップが、前記十分機能しなくなった電気化学セルに供給された前記電流の所定部分をシャント抵抗器を介して方向転換させて、前記十分機能しなくなった電気化学セルにわたる前記電圧を低下させるステップを包含する、（２）に記載の方法。
（１２）電気化学セルが十分機能しなくなるかどうかを決定するステップが、電気化学セルの温度が臨界温度の設定値より高いかどうかを決定するステップを包含する、（１）に記載の方法。
（１３）前記十分機能しなくなった電気化学セルにより発生した熱を予め決められた値に落とすのに十分な抵抗値を計算するステップ；および
計算された抵抗値に基づき前記十分機能しなくなった電気化学セルをシャントするためのシャント抵抗器を選択するステップ
をさらに包含する、（１２）に記載の方法。
（１４）前記十分機能しなくなった電気化学セルをシャントするステップが、前記十分機能しなくなった電気化学セルに供給された前記電流の所定部分をシャント抵抗器を介して方向転換させて、前記十分機能しなくなった電気化学セルにより発生した熱を低減するステップを包含する、（２）に記載の方法。
（１５）前記十分機能しなくなった電気化学セルからの前記電流を方向転換させるステップが、２つまたはそれより多くの双方向コンバーターを用いて電流を方向転換させるステップを包含する、（１）に記載の方法。
（１６）水素を生成するように設計された活性領域；および
該活性領域の境界の外側のシャント領域
を含む電気化学セルであって、該シャント領域は、シャントを受け入れるように設計されている、上記電気化学セル。
（１７）前記シャントが、前記電気化学セルを介する電流の流れを調節するために、前記シャント領域に部分的に挿入されて、前記シャントの前記電気化学セルと接触する面積を調節するように設計されている、（１６）に記載のセル。
（１８）前記シャント領域が、前記電気化学セルの角または縁部上に配置されている、（１６）に記載のセル。
（１９）電気化学セルの性能を調整するためのシステムであって、
２つまたはそれより多くの電気化学セルを包含する電気化学セルスタックであり、ここ各電気化学セルは、
水素を生成するための活性領域；および
該活性領域に隣接する少なくとも１つのバイポーラプレート
を包含する、電気化学セルスタック；ならびに
十分機能しなくなった電気化学セルの活性領域を架橋する少なくとも１対のバイポーラプレートの間に取り付けられるように設計されたシャント
を含む、上記システム。
（２０）前記シャントが、非ゼロ抵抗を有し、前記シャントは、前記電流の流れの一部を方向転換させて、前記十分機能しなくなった電気化学セルにわたる電圧を低下させるように設計されている、（１９）に記載のシステム。
（２１）前記シャントが、予め決められた抵抗を有する固定シャントである、（１９）に記載のシステム。
（２２）前記シャントが、前記電気化学セルにわたる電圧、前記電気化学セルの温度、および前記電気化学セルにわたる前記抵抗の少なくとも１つに基づく可変抵抗を有する可変シャント抵抗器である、（１９）に記載のシステム。
（２３）電気化学セルスタック中の少なくとも１つの電気化学セルの性能を調整するためのシステムであって、
２つまたはそれより多くの電気化学セルを包含する電気化学セルスタックであり、ここで各電気化学セルは、
水素を生成するための活性領域；および
該活性領域に隣接する少なくとも１つのバイポーラプレート
を包含する、電気化学セルスタック；ならびに
前記電気化学セルスタックの少なくとも１つの電気化学セルに電流の調節を提供するように配置された、双方向コンバーター
を含む、上記システム。
（２４）各双方向コンバーターが、バックブーストコンバーター回路を包含する、（２３）に記載のシステム。
（２５）一方の双方向コンバーターが、ブーストモードで作動して、十分機能しなくなった電気化学セルからの電流の流れの所定部分を方向転換させるように設計されており、他方の双方向コンバーターが、バックモードで作動して、同じ量の電流を隣接する電気化学セルに出力するように設計されている、（２４）に記載のシステム。
【符号の説明】
【００６０】
２０  システム
５０  電気化学セルスタック
８０  活性領域
１００  電気化学セル
１１０  アノード
１２０  カソード
１３０  プロトン交換膜（ＰＥＭ）
１５０  バイポーラプレート
２００  シャント抵抗器
２００ａ  シャントの面積
２１０  可変シャント抵抗器
２２０  シャント領域
３００  フローチャート
３１０、３２０、３３０、３４０、３５０、３６０、３７０、３８０  工程
４００  双方向コンバーター
【図１】
2019052377.tif 000006
【図２】
2019052377.tif 000007
【図３】
2019052377.tif 000008
【図４】
2019052377.tif 000009
【図５】
2019052377.tif 000010
【図６】
2019052377.tif 000011
【図７】
2019052377.tif 000012
【図８】
2019052377.tif 000013